(57)【要約】  【課題】  本発明は，携帯電話の受け画面を有効活用し，サーバから発信された情報を表示できる携帯電話を提供する。  【解決手段】  本発明の携帯電話(1)は，携帯電話の表示画面が待ち受け画面かどうか判断するための表示画面判断部(2)と；携帯電話文字情報配信サーバから配信される文字情報を受信する受信部(3)と；前記受信部が受信した文字情報を前記表示画面に表示しうる情報に変換する情報変換部(4)と；前記表示画面に所定の情報を表示するための表示部(5)と；前記受信部が前記文字情報を受信し，前記情報変換部が受信した文字情報を前記表示画面に表示しうる情報に変換し，前記表示画面判断部が表示画面が待ち受け画面であると判断した場合に，前記表示部が前記待ち受け状態である表示画面に文字情報を表示するように制御する制御部(6)と；を具備する。  【選択図】  図１
2007043457.tif 000002
【特許請求の範囲】
【請求項１】
携帯電話の表示画面が待ち受け画面かどうか判断するための表示画面判断部と；
携帯電話文字情報配信サーバから配信される文字情報を受信する受信部と；
前記受信部が受信した文字情報を前記表示画面に表示しうる情報に変換する情報変換部と；
前記表示画面に所定の情報を表示するための表示部と；
前記受信部が前記文字情報を受信し，前記情報変換部が受信した文字情報を前記表示画面に表示しうる情報に変換し，前記表示画面判断部が表示画面が待ち受け画面であると判断した場合に，前記表示部が前記待ち受け状態である表示画面に文字情報を表示するように制御する制御部と；を具備する携帯電話。
【請求項２】
請求項１に記載の携帯電話であって，
前記表示画面は，前記文字情報を表示するための特定の領域が設けられる携帯電話。
【請求項３】
請求項１に記載の携帯電話であって，
前記文字情報を表示する時間を記憶するための表示時間記憶部と;
前記文字情報が表示画面に表示された時間を測定する表示時間測定部と;
を更に具備し，
前記制御部は，前記表示時間測定部が測定した文字情報が表示画面に表示された時間が，前記表示時間記憶時間に記憶された表示時間となった場合に，前記表示部に前記文字情報を表示しないように指令を出し，前記表示部はその指令に従って待ち受け画面から前記文字情報を削除する携帯電話。
【請求項４】
請求項１に記載の携帯電話であって，
前記文字情報に換えて，又は前記文字情報とともに，画像情報を受信し，待ち受け画面に表示する携帯電話。
【請求項５】
複数の携帯電話のアドレス情報と，前記複数の携帯電話ごとに配信する情報のカテゴリーとを関連付けて記憶する携帯電話情報記憶部と；
文字情報と前記文字情報のカテゴリーを入力するための入力部と；
前記入力部から入力された文字情報及び文字情報のカテゴリーを関連づけて記憶するための文字情報記憶部と；
前記文字情報記憶部に記憶された文字情報のカテゴリーと，前記携帯電話情報記憶部に記憶された配信する情報のカテゴリーとが一致するかどうか判断するカテゴリー判断部と；
前記カテゴリー判断部が一致すると判断した場合に，前記文字情報のカテゴリーと関連付けて記憶される文字情報を選択する文字情報選択部と；
前記文字情報選択部が選択した文字情報を，前記配信する情報のカテゴリーと関連付けて記憶された携帯電話のアドレス情報によって指定される携帯電話へ配信するための文字情報送信部とを有する携帯電話文字情報配信サーバと；そして，
請求項１に記載の携帯電話を具備し，前記携帯電話の待ち受け画面に，サーバから発信された情報を表示できる携帯電話システム。
【発明の詳細な説明】
【技術分野】
【０００１】
本発明は，携帯電話を具備する待ち受け画面に，サーバから発信された情報を表示できる携帯電話などに関する。
【背景技術】
【０００２】
携帯電話は，一定時間受信や着信などの動作がない場合，電力消費を抑えるため待ち受け画面に切り替わる。そして，待ちうけ画面となった場合は，通常はユーザが携帯電話を使用していないときであるから，その際は画面をＯＦＦに設定するか，できるだけ輝度を抑えた時刻表示などのみをしていた。
【０００３】
しかしながら，ユーザは携帯電話を用いて，電話を受信する場合，電話をかける場合，メールを送受信する場合又は携帯電話でインターネットを閲覧する場合など，待ち受け画面はユーザの目に留まる機会があるものである。
【０００４】
待ち受け画面は，上記のとおり，ユーザによって視認される機会があるものであるにもかかわらず，消費電力をできるだけ抑えるという要請や，必要な情報は電子メールなどにより受信できることなどから，積極的に利用されてきたとはいえない。
【発明の開示】
【発明が解決しようとする課題】
【０００５】
本発明は，携帯電話の受け画面を有効活用し，サーバから発信された情報を表示できる携帯電話を提供することを目的とする。
【０００６】
本発明は，携帯電話の受け画面を有効活用し，サーバから発信された情報を，リアルタイムに表示できる携帯電話を提供することを目的とする。
【０００７】
本発明は，上記のような携帯電話を用いて，ユーザが望む情報を効果的に配信し，サーバから発信された情報を表示画面に表示できる携帯電話システムを提供することを上記とは別の目的とする。
【課題を解決するための手段】
【０００８】
本発明は，上記の課題を解決するためになされたものであり，基本的には，待ち受け画面にユーザが望む情報を表示すれば，いちいちメール画面などに切り替えなくても，容易に情報を提供できるという知見に基づくものである。
【０００９】
本発明の第１の側面にかかる携帯電話(1)は，携帯電話の表示画面が待ち受け画面かどうか判断するための表示画面判断部(2)と；携帯電話文字情報配信サーバから配信される文字情報を受信する受信部(3)と；前記受信部が受信した文字情報を前記表示画面に表示しうる情報に変換する情報変換部(4)と；前記表示画面に所定の情報を表示するための表示部(5)と；前記受信部が前記文字情報を受信し，前記情報変換部が受信した文字情報を前記表示画面に表示しうる情報に変換し，前記表示画面判断部が表示画面が待ち受け画面であると判断した場合に，前記表示部が前記待ち受け状態である表示画面に文字情報を表示するように制御する制御部(6)と；を具備する。
【００１０】
このように表示画面に表示するための文字情報を受け取り，待ち受け画面かどうかを判断した上で，待ち受け画面に文字情報を表示するので，待ち受け画面に所定の文字情報を表示できる携帯電話を提供できる。
【００１１】
本発明の第２の側面にかかる携帯電話システム(21)は，複数の携帯電話のアドレス情報と，前記複数の携帯電話ごとに配信する情報のカテゴリーとを関連付けて記憶する携帯電話情報記憶部(22)と；文字情報と前記文字情報のカテゴリーを入力するための入力部(23)と；前記入力部から入力された文字情報及び文字情報のカテゴリーを関連づけて記憶するための文字情報記憶部(24)と；前記文字情報記憶部に記憶された文字情報のカテゴリーと，前記携帯電話情報記憶部に記憶された配信する情報のカテゴリーが一致するかどうか判断するカテゴリー判断部(25)と；前記カテゴリー判断部が一致すると判断した場合に，前記文字情報のカテゴリーと関連付けて記憶される文字情報を選択する文字情報選択部(26)と；前記文字情報選択部が選択した文字情報を，前記配信する情報のカテゴリーと関連付けて記憶された携帯電話のアドレス情報によって指定される携帯電話へ配信するための文字情報送信部(26)とを有する携帯電話文字情報配信サーバと；そして，上記の携帯電話(1)を具備し，前記携帯電話の待ち受け画面に，サーバから発信された情報を表示できる携帯電話システムに関する。
【発明の効果】
【００１２】
本発明によれば，携帯電話の受け画面を有効活用し，サーバから発信された情報を表示できる携帯電話を提供することができる。待ち受け画面に所定の情報を表示しておけばユーザが携帯電話を利用する際などにユーザの目に触れることとなる。
【００１３】
本発明によれば，携帯電話の受け画面を有効活用し，サーバから発信された情報を，リアルタイムに表示できる携帯電話を提供することができる。
【００１４】
本発明によれば，上記のような携帯電話を用いて，ユーザが望む情報を効果的に配信し，サーバから発信された情報を表示画面に表示できる携帯電話システムを提供することができる。
【発明を実施するための最良の形態】
【００１５】
以下，図面を用いて本発明の実施の形態について説明する。図１は，本発明の第１の側面にかかる携帯電話のブロック図である。図１に示されるように，本発明の第１の側面にかかる携帯電話(1)は，携帯電話の表示画面が待ち受け画面かどうか判断するための表示画面判断部(2)と；携帯電話文字情報配信サーバから配信される文字情報を受信する受信部(3)と；前記受信部が受信した文字情報を前記表示画面に表示しうる情報に変換する情報変換部(4)と；前記表示画面に所定の情報を表示するための表示部(5)と；前記受信部が前記文字情報を受信し，前記情報変換部が受信した文字情報を前記表示画面に表示しうる情報に変換し，前記表示画面判断部が表示画面が待ち受け画面であると判断した場合に，前記表示部が前記待ち受け状態である表示画面に文字情報を表示するように制御する制御部(6)と；を具備する。
【００１６】
そして，アンテナなどの受信部がサーバなどから配信された無線信号や光信号で符号化される文字情報を受信し；情報変換部が，受信部が受信した文字情報を前記表示画面に表示しうる電気情報に変換し；携帯電話のマイコンや中央処理装置などによって実装される表示画面判断部が，表示画面が待ち受け画面であると判断した場合に；マイコンや中央処理装置などにより実装される制御部が，前記表示部が前記待ち受け状態である表示画面に文字情報を表示するよう制御する。これにより，所定の文字情報が，携帯電話の待ち受け画面に表示されることとなる。なお，前記表示部は，表示画面に表示する情報を記憶するためのフレームバッファと，表示情報を制御するための表示制御部を含むものであっても良い。そして，表示制御部は，表示画面を複数のレイヤに分けて把握しており，前記文字情報は，待ち受け画面の表示情報よりも上のレイヤとして制御するものがあげられる。そのように制御するので，文字情報を待ち受け画面の上に表示するカリング処理を容易におこなうことができる。
【００１７】
なお，本明細書において「待ち受け画面」とは，携帯電話における通常の待ち受け画面などを意味し，具体的には，ユーザが携帯電話への指令を所定時間以上行わない場合や，電子メール（ショートメールを含む）などを所定時間受信しない場合に，消費電力を軽減するなどの目的で，ＯＦＦ状態か比較的輝度の低い状態に変更される画面を意味する。
【００１８】
なお，上記の携帯電話では，文字情報のみならず画像情報を待ち受け画面に表示するようにしてもよいが，画像情報を表示する場合は，ウイルスなどを携帯電話に持ち込む場合があるので，文字情報のみとすることが好ましい。
【００１９】
携帯電話(1)は，公知の携帯電話を用いることができ，折りたたみ式のものでもそうでなくてもかまわない。本発明の携帯電話は，通常の携帯電話を用いても実装できる。図２は，携帯電話のハードウェア実装例を示す図である。図２に示されるように，例えば，そのような携帯電話として，中央処理装置(11)などを含む制御部と，制御部のためのプログラムや画像データなどが格納され，制御部や通信部などのワーク領域となるメモリ部（メインメモリ，バッファ，及びメモリなど）(12)と，無線通信や光通信を行うための無線通信機能部(13)と，画像や文字を表示するためのＬＣＤなどの表示画面(14)と，テンキーや各種機能キーなどを含む入力部(15)と，音声通話のためのマイクなどの音声入力部と，レシーバやスピーカなど音を出力するための音声出力部(16)と，当該携帯電話を動作させるための電力を供給する図示しない電池と、電池を安定化し各機能部へ分配する図示しない電源部とを具備するものがあげられる。そして，各要素は，所定によりインターフェイスを開始，バス(17)などを通じて情報のやりとりが可能とされている。なお，静止画や動画を撮影してデジタル信号に変換するＣＣＤカメラなどの任意要素である撮像部を具備しても良い。なお，メモリ部などとして機能するハードディスクやＤＲＡＭなどは，例えば情報を磁気の方向，メモリセルに蓄えられる電荷の有無などの情報に置き換えて記憶する。
【００２０】
本発明の携帯電話は，例えば，メインメモリなどに記憶されるプログラムに制御プログラムが格納され，中央処理装置は，制御プログラムからの指令を受けて，所定の情報を読み出し，必要に応じてメモリやバッファに記憶される情報を書き換え，所定の処理を行うようにされていれば良い。
【００２１】
上記のような携帯電話を用いれば，文字情報を表示できるほか，通常の音声による情報通信にも利用できる。音声による通常の情報通信動作は，例えば，以下のとおりである。例えば音声入力部に入力された音声は，インターフェイスによりデジタル情報に変換され，制御部によって，所定の処理が施され，アンテナなどの無線通信機能部から無線信号として出力される。また，相手の音情報を受信する場合は，アンテナなどの無線通信機能部が無線信号を受信し，所定の変換処理が施された後，制御部の制御を受けて，音声出力部から音声が出力される。
【００２２】
そして，本発明の携帯電話は，例えば以下のように動作する。アンテナなどの受信部がサーバなどから配信された無線信号や光信号で符号化される文字情報を受信する。
【００２３】
情報変換部が，受信部が受信した文字情報を前記表示画面に表示しうる電気情報に変換しＩ／Ｏインターフェイスなどを介して，文字情報を中央処理装置やメモリなどに伝える。
【００２４】
文字情報が携帯電話に入力されたという情報を受けた中央処理装置は，メインメモリに格納される制御プログラムを読み出し，制御プログラムの指令に従って各種処理を行う。具体的には，表示画面判断部に表示画面が待ち受け画面であるかどうか判断させる指令を出し，表示画面判断部は指令に従って表示画面が待ち受け画面であるかどうか判断し，その判断結果をシステムバスを介して中央処理装置に伝える。
【００２５】
表示画面判断部が，表示画面が待ち受け画面であると判断したという情報を受けた中央処理装置は，前記表示部が前記待ち受け状態である表示画面に文字情報を表示するよう指令を出す。この制御指令を受けた表示部は，表示部の表示制御部の動作により，文字情報や画像情報を，表示画面に表示可能な情報へと変換し，フレームバッファに一時的に格納し，表示画面に出力する。
【００２６】
表示画面は，出力された電気信号に従って，所定の情報を表示する。これにより，所定の文字情報が，携帯電話の待ち受け画面に表示されることとなる。
【００２７】
前記表示部は，表示画面に表示する情報を記憶するためのフレームバッファと，表示情報を制御するための表示制御部を含むものであっても良い。そして，表示制御部は，表示画面を複数のレイヤに分けて把握しており，前記文字情報は，待ち受け画面の表示情報よりも上のレイヤとして制御するものがあげられる。そのように制御するので，文字情報を待ち受け画面の上に表示するカリング処理を容易におこなうことができる。
【００２８】
携帯電話の表示画面の公知の携帯電話の表示画面を適宜利用することができる。ただし，前記表示画面のうち，文字情報などを表示するための特定の領域が設けられるものは本発明の好ましい実施態様である。そのような領域は，表示画面の上方（たとえば，表示画面の半分より上の領域）に設けられることが好ましい。そのような位置であれば，ユーザが視認する可能性が高まるからである。
【００２９】
また，文字情報などの表示輝度は，待ち受け画面の輝度よりも高いことが好ましい。具体的には，待ち受け画面そのものの輝度に比べ，たとえば「ニュース速報！」という文字が表示された場合に，表示画面全体の輝度が１％以上，好ましくは２％以上，更に好ましくは５％以上高くなるものがあげられる。このように文字の輝度が高い場合は，ユーザにより情報が視認される可能性が高くなるからである。
【００３０】
上記の形態の好ましい実施態様は，特に図示しないが，前記文字情報を表示する時間を記憶するための表示時間記憶部と;前記文字情報が表示画面に表示された時間を測定する表示時間測定部とを更に具備し，前記制御部は，前記表示時間測定部が測定した文字情報が表示画面に表示された時間が，前記表示時間記憶時間に記憶された表示時間となった場合に，前記表示部に前記文字情報を表示しないように指令を出し，前記表示部はその指令に従って待ち受け画面から前記文字情報を削除する携帯電話である。
【００３１】
このような携帯電話であれば，所定の時間の間文字情報を表示し続けることができる。文字情報などは，通常の待ち受け画面より輝度が高いので消費電力が高まることが想定されるが，文字情報が必要以上に長く表示されることを防止できるので，無駄な消費電力を防止できる。携帯電話のテンキーなどの入力装置からの入力を受け，携帯電話の中央処理装置などがメインメモリからの指令を受けて書き換え指令を出すことにより，表示時間記憶部が記憶する表示時間は変更可能とされていることが好ましい。
【００３２】
なお，上記した文字情報に換えて，又は前記文字情報とともに，画像情報を受信し，待ち受け画面に表示する携帯電話は，本発明の好ましい別の実施態様である。
【００３３】
次に，本発明の第２の側面にかかる携帯電話システムについて説明する。図３は，本発明の第２の側面にかかる携帯電話システムの基本構成を示すブロック図である。図３に示されるとおり本発明の第２の側面にかかる携帯電話システム(21)は，複数の携帯電話のアドレス情報と，前記複数の携帯電話ごとに配信する情報のカテゴリーとを関連付けて記憶する携帯電話情報記憶部(22)と；文字情報と前記文字情報のカテゴリーを入力するための入力部(23)と；前記入力部から入力された文字情報及び文字情報のカテゴリーを関連づけて記憶するための文字情報記憶部(24)と；前記文字情報記憶部に記憶された文字情報のカテゴリーと，前記携帯電話情報記憶部に記憶された配信する情報のカテゴリーが一致するかどうか判断するカテゴリー判断部(25)と；前記カテゴリー判断部が一致すると判断した場合に，前記文字情報のカテゴリーと関連付けて記憶される文字情報を選択する文字情報選択部(26)と；前記文字情報選択部が選択した文字情報を，前記配信する情報のカテゴリーと関連付けて記憶された携帯電話のアドレス情報によって指定される携帯電話へ配信するための文字情報送信部(27)とを有する携帯電話文字情報配信サーバと；そして，上記の携帯電話(1)を具備し，前記携帯電話の待ち受け画面に，サーバから発信された情報を表示できる携帯電話システムに関する。
【００３４】
前記携帯電話文字情報配信サーバは，中央処理装置などを含む制御装置と；制御装置のためのプログラムや画像データなどが格納され，制御部や通信部などのワーク領域となるデータベースなどを具備しても良い記憶装置（メインメモリ，バッファ，及びメモリなど）と；無線通信や光通信を行うための無線通信機能部と；ポインティングデバイスやマイクなどの入力装置と；プリンターやモニタなどの出力装置と；各装置を接続し情報のやり取りを可能とするバスと；を具備するものがあげられる。
【００３５】
メインメモリなどに記憶されるプログラムに制御プログラムが格納され，中央処理装置は，制御プログラムからの指令を受けて，所定の情報を読み出し，必要に応じてメモリやバッファに記憶される情報を書き換え，所定の処理を行うようにされていれば良い。
【００３６】
また，文字情報などは，例えばキーボードなどの入力装置により定義されたカテゴリー情報とともにサーバに入力され，中央処理装置は，制御プログラムからの指令を受けて，文字情報と文字情報のカテゴリーを関連付けて記憶するデータベースにそれらの情報を書き込むよう指令を出し，データベースは前記書き込み指令に従って記憶する情報を更新すればよい。
【００３７】
携帯電話システム(21)は，上記のようにデータベースが更新されると，カテゴリー判断部(25)が，前記文字情報記憶部に記憶された文字情報のカテゴリーと，前記携帯電話情報記憶部に記憶された配信する情報のカテゴリーが一致するかどうか判断する。カテゴリーが一致しなければ，情報を配信しない。具体的には，中央処理装置が，制御プログラムからの指令を受けて，前記文字情報記憶部に記憶された文字情報のカテゴリーと，前記携帯電話情報記憶部に記憶された配信する情報のカテゴリーが一致するかどうか判断し，その結果についての情報をシステムバスを介して出力すればよい。
【００３８】
次に，文字情報選択部(26)は，カテゴリー判断部(25)が一致すると判断した場合に，前記文字情報のカテゴリーと関連付けて記憶される文字情報を選択する。具体的には，中央処理装置が，カテゴリー判断部(25)が一致すると判断した情報を受け，前記制御プログラムを読み出して前記制御プログラムからの指令を受けて，前記文字情報記憶部から前記文字情報のカテゴリーと関連付けて記憶される文字情報を読み出す。読み出された情報はＲＡＭなどに一時的に記憶されていても良い。
【００３９】
次に，文字情報送信部(27)は，前記文字情報選択部が選択した文字情報を，前記配信する情報のカテゴリーと関連付けて記憶された携帯電話のアドレス情報によって指定される携帯電話へ配信する。具体的には，中央処理装置が，カテゴリー判断部(25)が一致すると判断した情報を受け，前記制御プログラムを読み出して前記制御プログラムからの指令を受けて，前記文字情報選択部が選択した文字情報を送信可能な情報へと変換し，また前記配信する情報のカテゴリーと関連付けて記憶された携帯電話のアドレス情報を読み出し，無線通信機能部へ伝え，無線通信機能部は文字情報を無線信号として配信する。
【００４０】
このサーバから配信された無線信号は，上記の携帯電話(1)により受信され，前記した処理により，待ち受け画面に，サーバから発信された情報が表示されることとなる。
【００４１】
なお，上記の携帯電話システムでは，基本的に予め登録したカテゴリーの情報を受信するものであるが,本発明はそれに限定されるものではない。例えば，全てのユーザに対して，地震情報や避難場所情報などの緊急ニュースが配信されるようにされても良い。この場合，ユーザの希望とは関係なしに，緊急ニュースと定義されるカテゴリーは，全ての携帯電話について選択されるようにされていれば良く。データベース上では，最も短いフラグなどとして識別されるようにされていれば良い。
【実施例１】
【００４２】
以下，本発明のシステムを用いた，ニュース速報の想定される配信例について説明する。まず，ユーザは，携帯電話を用いて，予めサーバに希望するニュースカテゴリーを伝えておく。サーバはそのユーザのアドレスと，配信を希望するカテゴリーとを関連付けて記憶する。
【００４３】
ユーザＡは，緊急ニュース，スポーツ，及び芸能が選択される。ユーザＢは，緊急ニュース及びビジネスが選択される。そして，サーバには，カテゴリー[スポーツ]について，<阪神勝利！首位とのゲーム差1に！>という情報が入力されたとする。その場合，カテゴリー[スポーツ]を選択している，ユーザＢについて，カテゴリーが一致したので，カテゴリー[スポーツ]と関連付けて記憶される情報<阪神勝利！首位とのゲーム差1に！>が，ユーザＢの携帯電話に配信される。
【００４４】
ユーザＢの携帯電話は，配信された情報を受け<阪神勝利！首位とのゲーム差1に！>という文字情報を待ち受け画面に表示する。この際，カテゴリーの[スポーツ]も合わせて送受信され，画面に表示されるようにされても良い。
【産業上の利用可能性】
【００４５】
本発明は，携帯電話などとして好適に利用されうる。
【図面の簡単な説明】
【００４６】
【図１】図１は，本発明の第１の側面にかかる携帯電話のブロック図である。
【図２】図２は，携帯電話のハードウェア実装例を示す図である。
【図３】図３は，本発明の第２の側面にかかる携帯電話システムの基本構成を示すブロック図である。
【符号の説明】
【００４７】
１  携帯電話    ２  表示画面判断部  ３  受信部
４  情報変換部  ５  表示部          ６  制御部
【図１】
2007043457.tif 000003
【図２】
2007043457.tif 000004
【図３】
2007043457.tif 000005